(57)【要約】【課題】入退室管理システムにおいて、入退室する人物の一連の画像を見ながら、例えば他人のカードを使い他人になりすましている人物がいないかを容易にチェックする。【解決手段】ドア１に設けられたカメラ５から取り込んだ画像データに対し日付、時刻、入退室通路ＩＤを付加して第１記憶部に記憶する。また、ドア１に設けられた個人認証機器１５から取り込んだ個人認証データに個人ＩＤ、日付、時刻、入退室通路ＩＤを付加して第２記憶部に記憶する。そして、指定された個人ＩＤと合致する個人認証データを第２記憶部から集め、この個人認証データが有する日付、時刻、入退室通路ＩＤによって特定される画像データを第１記憶部から集め、表示部２３に一連表示する。この一連の画像には、正常時には同一人物が写り、他人になりすました異なる人物が写っていれば、直ちに判別できる。【選択図】図1
2005032050.tif 000002
【特許請求の範囲】
【請求項１】
入退室通路に設けられたカメラと、このカメラから取り込んだ画像データに対し少なくとも日付、時刻、入退室通路ＩＤを付加して記憶する第１記憶部と、入退室通路に設けられた個人認証機器と、この個人認証機器から取り込んだ個人認証データに少なくとも個人ＩＤ、日付、時刻、入退室通路ＩＤを付加して記憶する第２記憶部と、検索したい画像データを指定するために少なくとも個人ＩＤを指定できる入力部と、この指定された個人ＩＤと合致する個人ＩＤを有する個人認証データを第２記憶部から集め、この集めた個人認証データが有する日付、時刻、入退室通路ＩＤによって特定される前記画像データを第１記憶部から集める演算部と、集められた前記画像データを一連表示する表示部と、を有してなることを特徴とする入退室管理システム。
【請求項２】
入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、を有してなることを特徴とする入退室管理方法。
【請求項３】
入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、をコンピュータに実行させることを特徴とする入退室管理プログラム。
【請求項４】
入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、をコンピュータに実行させることを特徴とする入退室管理プログラム媒体。
【発明の詳細な説明】
【技術分野】
【０００１】
この発明は、不正な入室を抑制できる入退室管理のシステム、方法、プログラム、及びプログラム記録媒体に関する。
【背景技術】
【０００２】
図４、図５、及び図６に示すように、従来の入退室管理のシステム（図４）は、ドア５１などの入退室通路に設けられたカメラ５３から取り込んだ人物の画像データを、ビデオデッキやＤＶＲなどの画像装置５５に記憶し、画像再生専用のモニター５７に表示する。この表示は図５に示すように、ドア５１ごとに一連表示によって行われる。
【０００３】
また、図４に示すように、ドア５１などの入退室通路の脇に設けられた個人認証機器５９により入退室が許可されるか否かが判断される。入退室しようとする者は例えばＩＣカードを機器５９に挿入して、ＩＣカードに記憶されている暗号（個人認証データ）が、機器５９に接続されるパソコン６１の記憶部６３に記憶されている個人認証ファイル６５の暗号と一致するか否かが判断され、一致すれば認証確認が完了し、ドア５１が開放される。複数のドア５１の複数の個人認証機器５９から取り込んだ個人認証データは、パソコン６１内の演算部６７によって収集され、日付、時刻、入退室通路ＩＤが付加されて、記憶部６３の個人通過ファイル６９に記録される。
【０００４】
そして、例えば特定の人物を追跡調査するために、キーボード７１からその人物の個人ＩＤなどの検索条件が入力され指定されると、この指定された個人ＩＤなどと合致する個人ＩＤなどを有する個人認証データを記憶部６３の個人通過ファイル６９から通過データとして集め、図６に示すように時系列の一連表示のデータとして、画像再生専用のモニター７３に表示する。
なお、図は、ドア１とドア２を通して、スタッフＡとスタッフＢなる二人の人物が、入退室する様子を示す。
【０００５】
システムのオペレータは、図５、図６の画像を見ながら不審な人物が写っていないかをチェック作業するものであった。ここで不審な人物とは、例えば他人のＩＣカードを使って他人になりすましている人物をいう。  
【発明の開示】
【発明が解決しようとする課題】
【０００６】
しかしながら、以上の技術によれば、図５、図６の画像を見ながら不審な人物が写っていないか、あるいはスタッフＡとスタッフＢが互いになりすましていないか、などをチェックする作業は、神経を使い、疲労を誘う。特に、人物の数が多い大規模な入退室がなされるときには、チェック作業は大変なものになる。
そこで、この発明は、画像を見ながら、他人になりすましている人物が写っていないかどうかを容易にチェックできる、入退室管理のシステム、方法、プログラム、及びプログラム記録媒体を提供することを課題とする。
【課題を解決するための手段】
【０００７】
以上の課題を解決するために、第一発明は、入退室通路に設けられたカメラと、このカメラから取り込んだ画像データに対し少なくとも日付、時刻、入退室通路ＩＤを付加して記憶する第１記憶部と、入退室通路に設けられた個人認証機器と、この個人認証機器から取り込んだ個人認証データに少なくとも個人ＩＤ、日付、時刻、入退室通路ＩＤを付加して記憶する第２記憶部と、検索したい画像データを指定するために少なくとも個人ＩＤを指定できる入力部と、この指定された個人ＩＤと合致する個人ＩＤを有する個人認証データを第２記憶部から集め、この集めた個人認証データが有する日付、時刻、入退室通路ＩＤによって特定される前記画像データを第１記憶部から集める演算部と、集められた前記画像データを一連表示する表示部と、を有してなることを特徴とする入退室管理システムである。
【０００８】
第二発明は、入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、を有してなることを特徴とする入退室管理方法である。
【０００９】
第三発明は、入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、をコンピュータに実行させることを特徴とする入退室管理プログラムである。
【００１０】
第四発明は、入退室通路に設けられたカメラから取り込んだ画像データに対し少なくとも日付、時刻、入退室通路ＩＤを付加して第１記憶部に記憶する第１ステップと、入退室通路に設けられた個人認証機器から取り込んだ個人認証データに少なくとも個人ＩＤ、日付、時刻、入退室通路ＩＤを付加して第２記憶部に記憶する第２ステップと、検索したい画像データを指定するために入力部によって少なくとも個人ＩＤを指定する第３ステップと、この指定された個人ＩＤと合致する個人ＩＤを有する個人認証データを演算部によって第２記憶部から集め、この集めた個人認証データが有する日付、時刻、入退室通路ＩＤによって特定される前記画像データを演算部によって第１記憶部から集める第４ステップと、集められた前記画像データを表示部に一連表示する第５ステップと、をコンピュータに実行させることを特徴とする入退室管理プログラム媒体である。
【発明の効果】
【００１１】
第一、第二、第三、または第四発明によれば、指定された個人ＩＤと合致する個人ＩＤを有する個人認証データを第２記憶部から集め、この集めた個人認証データが有する日付、時刻、入退室通路ＩＤによって特定される前記画像データを第１記憶部から演算部によって集め、集められた前記画像データを表示部に一連表示するので、この一連の画像には、正常時には同一人物が写っており、他人になりすました異なる人物が写っていれば、直ちに判別できる。したがって、画像を見ながら、他人になりすましている人物が写っていないかどうかを容易にチェックできる。
【発明を実施するための最良の形態】
【００１２】
この発明の実施形態を、図１、図２、及び図３に示す。
図１に示すように、入退室の管理が必要な建物が有する複数のドア１を、入退室通路３として、各々のドア１に個別にカメラ５が設けられる。各カメラ５はパソコン７に接続される。パソコン７に取り込まれた画像データに対し、演算部９（ＣＰＵ）は、日付、時刻、入退室通路ＩＤ、カメラＩＤを付加して、記憶部１１の録画ファイル１３に記憶する。
【００１３】
同様に、各々のドア１に個別にＩＣカード式の個人認証機器１５が設けられる。各個人認証機器１５はパソコン７に接続される。パソコン７に取り込まれた個人認証データに、個人ＩＤ、日付、時刻、入退室通路ＩＤ、機器ＩＤを付加して記憶部１１の個人通過ファイル１７に記憶する。パソコン７には、検索したい画像データを指定するために、個人ＩＤ、入退室通路ＩＤ、あるいは検索範囲期間（日付、時刻で範囲を決める）を指定できる入力部１９である、キーボード２１を備える。
【００１４】
また、パソコン７には、この指定された個人ＩＤと合致する個人ＩＤを有する個人認証データを個人通過ファイル１７から集め、この集めた個人認証データが有する日付、時刻、入退室通路ＩＤによって特定される画像データを記憶部１１の録画ファイル１３から集める演算部９（ＣＰＵ）を備える。さらに、パソコン７には、集められた前記画像データを一連表示する表示部２３（モニター）が接続される。
【００１５】
図３（Ａ）、図３（Ｂ）にこの実施形態のシステムが実施する手順を示す。
まず、入対室時の個人認証データ取り込み処理を開始し、個人認証機器１５から受信し取り込んだ個人認証データ（Ｓ１）を、記憶部１１に記憶されている個人認証ファイル２５のデータと照合させ（Ｓ２）、正当性があれば認証し（Ｓ３）、ドア１の鍵を開錠する（Ｓ４）。そして、この個人認証データに個人ＩＤ、日付、時刻、入退室通路ＩＤ、機器ＩＤを付加して記憶部１１の個人通過ファイル１７に記憶する（Ｓ５）。
【００１６】
また、画像データ取り込み処理を開始し、カメラ５から画像データを取り込む（Ｓ６）。取り込んだ画像データに対し、日付、時刻、入退室通路ＩＤ、カメラＩＤを付加して、記憶エリアの記憶部１１の録画ファイル１３に記憶する（Ｓ７）。この取り込み、付加、記憶を全カメラについて繰り返す（Ｓ８）。
【００１７】
次に、個人別認証データの画像確認処理を開始し、キーボード２１から個人ＩＤ、入退室通路ＩＤ、あるいは検索範囲期間（日付（開始日と終了日）、更には時刻で期間範囲を決める）などの検索条件が入力され指定される（Ｓ９）と、この指定された個人ＩＤなどと合致する個人ＩＤなどを有する個人認証データを記憶部１１の個人通過ファイル１７から通過データとして集め（Ｓ１１）、いったん、集計通過データ２７として記録する。
さらに、この集計通過データ２７が有する日付、時刻、入退室通路ＩＤに合致するなどによって特定される画像データを記憶部１１の録画ファイル１３から集める（Ｓ１２）。このうちの時刻は、ＩＣカードを個人認証機器１５に挿入するのにかかる時間に個人差があるので、所定の幅をもって、特定する。特定し集めた画像データは、集計画像データ２９として記憶する。
【００１８】
その後、集計通過データ２７の各通過データと集計画像データ２９（図２参照）の各画像データを対応をとりながら、表示部２３に集計画像データを一連表示する（Ｓ１３）。図の例では検索条件で指定された個人ＩＤが、スタッフＡだったので、図２には、スタッフＡなる人物の一連画像が表示される。
「実施形態の効果」
この実施形態によれば、表示される一連の画像には、正常時には同一人物が写っており、他人になりすました異なる人物が写っていれば、直ちに判別できる。図２には、スタッフＡなる人物の一連画像が表示され、その中にスタッフＢなる人物のものと思われる画像（上から４段目）が存在し、スタッフＢがスタッフＡのＩＣカードを用いて入室あるいは退室したことが容易に判定できる。
したがってオペレータは、一連の画像を見ながら、他人になりすましている不審な人物が写っていないかどうかを容易にチェックできる。
【００１９】
また、集計画像データ（図２参照）には対応する集計通過データが表示されるので、不審な人物が写っている画像が、日付、時刻、入退室通路ＩＤとともに表示されることになり、保安の観点からも有利である。
「他の実施形態」
以上の実施形態では、入退室通路３はドア１であったが、他の実施形態では、必ずしもドア１ではなく、例えば空港の荷物検査室に設けられるようなゲートでも良い。
以上の実施形態では、個人認証機器１５は個人が所持するＩＣカードを器機に挿入するＩＣカード式であったが、他の実施形態では、個人の指紋や眼の虹彩によって、照合を行い、正当性があれば認証しドア１の鍵を開錠するタイプであっても良い。その場合も、この個人認証データに個人ＩＤ、日付、時刻、入退室通路ＩＤ、機器ＩＤを付加して記憶エリアの第２記憶部の個人通過ファイル１７に記憶する。
【図面の簡単な説明】
【００２０】
【図１】この発明の一実施形態に係るシステムを示すブロック図である。
【図２】（ａ）（ｂ）は、図１のシステムによって一連表示される画像データの例で、個人ＩＤ別（人物別）のものである。
【図３（Ａ）】図１のシステムによってなされる処理手順のフロー図の左半分を示す。
【図３（Ｂ）】図１のシステムによってなされる処理手順のフロー図の右半分を示す。
【図４】従来のシステムを示すブロック図である。
【図５】（ａ）（ｂ）は、図４のシステムによって表示される画像データの例で、入退室通路別（ドア別）のものである。
【図６】個人認証データに日付、時刻、入退室通路ＩＤが付加されて表される時系列の一連表示のデータである。
【符号の説明】
【００２１】
１…ドア、３…入退室通路、５…カメラ、７…パソコン、９…演算部、１１…記憶部、１３…録画ファイル、１５…個人認証機器、１７…個人通過ファイル、１９…入力部、２１…キーボード、２３…表示部。
【図１】
2005032050.tif 000003
【図３（Ｂ）】
2005032050.tif 000004
【図４】
2005032050.tif 000005
【図６】
2005032050.tif 000006
【図２】
2005032050.tif 000007
【図３（Ａ）】
2005032050.tif 000008
【図５】
2005032050.tif 000009